(57)【特許請求の範囲】
【請求項１】
店舗、企業の事業所、公共施設等の複数の情報発信箇所に情報発信装置を設置し、該情報発信箇所に関連した情報、該情報発信箇所で取り扱う商品に関連した情報、広告に関連した情報、及び地域関連情報の少なくとも一つからなる提供対象情報を、外部のコンピュータから汎用インターフェースによりアップロードして該情報発信装置に記憶させておき、該情報発信装置から該情報発信箇所の周辺に限定された情報提供地域に向けて、該提供対象情報及びその提供対象情報の識別情報を含む送信信号を近距離無線通信により片方向的に繰り返し無線送信し、該情報提供地域に入った移動情報端末に、該情報発信装置から基地局を介さずに近距離無線通信により直接受信した送信信号に含まれる提供対象情報の識別情報と該移動情報端末に予め記憶させておいた選択出力情報とに基づいて該提供対象情報を出力するか否かを判定させ特定の提供対象情報のみを選択的に出力させることを特徴とする限定的情報提供方法。
【請求項２】
複数の情報提供地域の情報発信箇所に設置した情報発信装置から、該情報提供地域に向けて、外部のコンピュータから汎用インターフェースによりアップロードして該情報発信装置に記憶させておいた該情報提供地域に関連した地域関連情報である提供対象情報及びその提供対象情報の識別情報を含む送信信号を、近距離無線通信により片方向的に繰り返し無線送信し、該情報提供地域に入った移動情報端末に、該情報発信装置から基地局を介さずに近距離無線通信により直接受信した送信信号に含まれる提供対象情報の識別情報と該移動情報端末に予め記憶させておいた選択出力情報とに基づいて該提供対象情報を出力するか否かを判定させ特定の提供対象情報のみを選択的に出力させることを特徴とする限定的情報提供方法。
【請求項３】
請求項１又は２の限定的情報提供方法において、
上記選択出力情報が、個別の店舗の客待ち情報、割引情報等の店舗情報のみを選択的に出力させるための情報であることを特徴とする限定的情報提供方法。
【請求項４】
情報提供地域に入ったときに、該情報提供地域の情報発信箇所に設置した情報発信装置から該情報提供地域に向けて近距離無線通信により片方向的に繰り返し無線送信されてきた提供対象情報とその提供対象情報の識別情報とを含む送信信号を、基地局を介さずに近距離無線通信により直接受信する受信部と、
該提供対象情報に関する選択出力情報のデータを予め記憶しておくデータ記憶部と、
該データ記憶部に記憶されている該選択出力情報及び該受信部で受信した信号に含まれる識別情報に基づいて、該受信部で受信した信号に含まれる提供対象情報を出力するか否かを判定し特定の提供対象情報を選択するデータ処理部と、
該データ処理部で選択された該特定の提供対象情報を出力する出力部とを備えたことを特徴とする移動情報端末。
【請求項５】
請求項４の移動情報端末において、
上記選択出力情報が、個別の店舗の客待ち情報、割引情報等の店舗情報のみを選択的に出力させるための情報であることを特徴とする移動情報端末。
【請求項６】
請求項４又は５の移動情報端末におけるデータ処理を、該移動情報端末に組み込まれたコンピュータで実行するためのプログラム。
【請求項７】
移動情報端末の使用者である顧客を移動情報端末を用いて集めるための集客方法であって、
店舗、企業の事業所、公共施設等の複数の情報発信箇所に情報発信装置を設置し、該情報発信箇所に関連した情報、該情報発信箇所で取り扱う商品に関連した情報、広告に関連した情報、及び地域関連情報の少なくとも一つからなる該顧客の便宜に結びつく提供対象情報を、外部のコンピュータから汎用インターフェースによりアップロードして該情報発信装置に記憶させておき、該情報発信装置から該情報発信箇所の周辺に限定された情報提供地域に向けて、該提供対象情報及びその提供対象情報の識別情報を含む送信信号を近距離無線通信により片方向的に繰り返し無線送信し、該情報提供地域に入った移動情報端末に、該情報発信装置から近距離無線通信により基地局を介さずに直接受信した送信信号に含まれる提供対象情報の識別情報と該移動情報端末に予め記憶させておいた選択出力情報とに基づいて該提供対象情報を出力するか否かを判定させ特定の提供対象情報のみを選択的に出力させ、該提供対象情報を取得した顧客に対して便宜を提供することを特徴とする移動情報端末を用いた集客方法。
【発明の詳細な説明】
【０００１】
【発明の属する技術分野】
本発明は、店舗、企業の事業所、公共施設等の情報発信箇所に設置した情報発信装置を用いて、携帯電話機等の移動情報端末の使用者に、地域関連情報や広告情報等の情報を限定的に提供することができる限定的情報提供方法、移動情報端末、移動情報端末を用いた集客方法、並びにプログラムに関するものである。
【０００２】
【従来の技術】
従来、携帯電話機等の移動情報端末の使用者に対して情報を提供する情報提供システムとしては、例えば、携帯電話通信網の基地局を経由して携帯電話機と情報提供センターのサーバーやＷＷＷ（World Wide Web）サーバー等との間で双方向的に信号のやり取りをすることにより、携帯電話機に情報を送るものが知られている。また、最近では、携帯電話機が位置する場所の位置情報を情報提供センターのサーバーに送ることにより、その位置情報に基づいて、携帯電話機が位置する地域に特有の情報を提供するサービスも始まってきている。
【０００３】
【発明が解決しようとする課題】
しかしながら、上記従来の情報提供システムでは、携帯電話通信網の基地局を経由して携帯電話機と情報提供センターのサーバー等との間で信号のやり取りを複数回行なうため、携帯電話機や中継の基地局などでアップリンクとダウンリンクのバランスを考慮する必要があり、信号処理手順も複雑になってしまうという問題点があった。
また、携帯電話機等の移動情報端末を用いた情報提供に関しては、コンビニエンスストア、駅のキヨスク、レストラン、本屋、ＣＤショップ、飲食店、理髪店、美容院その他の商店等の店舗や、駅、バス停、待ち合わせ場所等の公共施設などに関する個別情報を、各店舗や公共施設等の近くにいる人たちのみに限定的に提供したいという要請もあった。しかしながら、上記従来の情報提供システムでは、各店舗や、事業所、公共施設等がそれぞれ位置する特定の情報提供地域ごとに、その地域の各店舗等からその情報提供地域に限定した個別情報を提供することが難しかった。
さらに、従来のマスメディアを用いた広告は、広告の発信元がテレビ局やラジオ局のように一括して広域に発信するものであったので、特定の情報提供地域ごとに、その情報提供地域に限定した広告を行なうことが難しかった。
【０００４】
そこで、本出願人は、「店舗、企業の事業所、公共施設等の情報発信箇所に情報発信装置を設置し、該情報発信箇所に関連した情報、該情報発信箇所で取り扱う商品に関連した情報、広告に関連した情報、及び地域関連情報の少なくとも一つからなる提供対象情報を、該情報発信装置に記憶させておき、該情報発信装置から該情報発信箇所の周辺に限定された情報提供地域に向けて、該提供対象情報を片方向的に繰り返し送信し、該情報提供地域に入った移動情報端末に該提供対象情報を受信させる限定的情報提供方法」を提案した（特願２０００−３８４４３７号参照）。
このような情報提供方法においては、基地局でなく各店舗等に設けた情報発信装置から移動情報端末に一方的に情報が送信されてくるため、移動情報端末で受信して出力される情報がすべて、移動情報端末の使用者や管理者にとって希望に沿ったものとは限らない。移動情報端末の使用者が受信したくない情報が送信されてくる場合や、移動情報端末の管理者が別にいて使用者に受信させたくない情報が送信されてくる場合も考えられる。例えば、繁華街においては、風俗関連店舗に関する風俗情報等が送信されてくる場合も考えられるが、このような風俗情報等を移動情報端末上に出力したくない場合がある。
一方、情報発信装置から送信されてくる各種の情報から特定の情報のみを選択して受信して出力したい場合がある。例えば、飲食店、理髪店、美容院等の客待ち状況や割引の情報のみを出力したい場合もあるし、上記繁華街における風俗情報のみを出力したい場合もある。
【０００５】
本発明は、以上の背景に鑑みなされたものであり、その目的とするところは、各店舗等に設けた情報発信装置から一方的に発信された情報を移動情報端末の使用者等の希望に応じて選択的に提供することができる限定的情報提供方法、移動情報端末、移動情報端末を用いた集客方法、並びに移動情報端末におけるデータ処理をコンピュータで実行するためのプログラムを提供することである。
【０００６】
【課題を解決するための手段】
上記目的を達成するために、請求項１の発明に係る限定的情報提供方法は、店舗、企業の事業所、公共施設等の複数の情報発信箇所に情報発信装置を設置し、該情報発信箇所に関連した情報、該情報発信箇所で取り扱う商品に関連した情報、広告に関連した情報、及び地域関連情報の少なくとも一つからなる提供対象情報を、外部のコンピュータから汎用インターフェースによりアップロードして該情報発信装置に記憶させておき、該情報発信装置から該情報発信箇所の周辺に限定された情報提供地域に向けて、該提供対象情報及びその提供対象情報の識別情報を含む送信信号を近距離無線通信により片方向的に繰り返し無線送信し、該情報提供地域に入った移動情報端末に、該情報発信装置から基地局を介さずに近距離無線通信により直接受信した送信信号に含まれる提供対象情報の識別情報と該移動情報端末に予め記憶させておいた選択出力情報とに基づいて該提供対象情報を出力するか否かを判定させ特定の提供対象情報のみを選択的に出力させることを特徴とするものである。
この限定的情報提供方法では、店舗、企業の事業所、公共施設等の情報発信箇所に関連した情報、情報発信箇所で取り扱う商品に関連した情報、広告に関連した情報、及び地域関連情報の少なくとも一つからなる提供対象情報を、外部のコンピュータから汎用インターフェースによりアップロードして情報発信装置に記憶させておき、その提供対象情報及びその提供対象情報の識別情報を含む送信信号を、情報発信箇所に設置した情報発信装置から情報発信箇所の周辺に限定された情報提供地域に向けて近距離無線通信により片方向的に繰り返し無線送信する。この情報発信装置から近距離無線通信により基地局を介さずに直接受信した提供対象情報の識別情報と移動情報端末に予め記憶させておいた選択出力情報とに基づいて提供対象情報を出力するか否かが判定され、情報発信装置から片方向的に繰り返し無線送信される提供対象情報のうち選択出力情報に合致した特定の提供対象情報のみが、情報提供地域に入った移動情報端末に受信され出力されることにより、上記情報提供地域ごとに移動情報端末の使用者に対して、移動情報端末の使用者等の希望に応じた選択的な情報提供を行なう。
なお、上記「移動情報端末」には、携帯電話機やＰＨＳ（Personal Handyphone System）の電話機のほか、携帯型のコンピュータなども含まれる。また、上記情報発信装置から送信される提供対象情報の伝送媒体には、電波のほか、赤外線等の光も含まれる。また、上記提供対象情報には、文字や画像の形態の情報のほか、音の形態の情報等も含まれる（以下の請求項においても同様である）。
【０００７】
請求項２の発明に係る限定的情報提供方法は、複数の情報提供地域の情報発信箇所に設置した情報発信装置から、該情報提供地域に向けて、外部のコンピュータから汎用インターフェースによりアップロードして該情報発信装置に記憶させておいた該情報提供地域に関連した地域関連情報である提供対象情報及びその提供対象情報の識別情報を含む送信信号を、近距離無線通信により片方向的に繰り返し無線送信し、該情報提供地域に入った移動情報端末に、該情報発信装置から基地局を介さずに近距離無線通信により直接受信した送信信号に含まれる提供対象情報の識別情報と該移動情報端末に予め記憶させておいた選択出力情報とに基づいて該提供対象情報を出力するか否かを判定させ特定の提供対象情報のみを選択的に出力させることを特徴とするものである。
この限定的情報提供方法では、情報提供地域の情報発信箇所に設置した情報発信装置から、情報提供地域に向けて、情報提供地域に関連した地域関連情報を提供対象情報としてその提供対象情報の識別情報とともに近距離無線通信により片方向的に繰り返し無線送信する。このように送信され基地局を介さずに近距離無線通信により直接受信された送信信号に含まれる提供対象情報の識別情報と移動情報端末に予め記憶させておいた選択出力情報とに基づいて提供対象情報を出力するか否かを判定させ、情報発信箇所から送信された提供対象情報うち選択出力情報に合致した特定の提供対象情報のみが、情報提供地域に入った移動情報端末で出力されることにより、上記情報提供地域ごとに移動情報端末の使用者に対して、移動情報端末の使用者等の希望に応じた選択的な情報提供を行なう。
【００１０】
請求項３の発明は、請求項１又は２の限定的情報提供方法において、上記選択出力情報が、個別の店舗の客待ち情報、割引情報等の店舗情報のみを選択的に出力させるための情報であることを特徴とするものである。
この限定的情報提供方法では、移動情報端末の使用者等の希望に応じて、移動情報端末に、個別の店舗の客待ち情報、割引情報等の店舗情報のみを出力させる。
【００１２】
請求項４の発明に係る移動情報端末は、情報提供地域に入ったときに、該情報提供地域の情報発信箇所に設置した情報発信装置から該情報提供地域に向けて近距離無線通信により片方向的に繰り返し無線送信されてきた提供対象情報とその提供対象情報の識別情報とを含む送信信号を、基地局を介さずに近距離無線通信により直接受信する受信部と、該提供対象情報に関する選択出力情報のデータを予め記憶しておくデータ記憶部と、該データ記憶部に記憶されている該選択出力情報及び該受信部で受信した信号に含まれる識別情報に基づいて、該受信部で受信した信号に含まれる提供対象情報を出力するか否かを判定し特定の提供対象情報を選択するデータ処理部と、該データ処理部で選択された該特定の提供対象情報を出力する出力部とを備えたことを特徴とするものである。
この移動情報端末では、情報発信装置から基地局を介さずに直接無線送信されてきた送信信号に含まれる提供対象情報の種類を識別するための識別情報と、データ記憶部に予め記憶させておいた選択出力情報とに基づいて、選択出力情報に合致した特定種類の提供対象情報のみを選択し、出力部から出力する。
また、請求項５の発明に係る移動情報端末は、請求項４の移動情報端末において、上記選択出力情報が、個別の店舗の客待ち情報、割引情報等の店舗情報のみを選択的に出力させるための情報であることを特徴とするものである。
【００１４】
請求項６の発明は、請求項４又は５の移動情報端末におけるデータ処理を、該移動情報端末に組み込まれたコンピュータで実行するためのプログラムである。
このプログラムを上記移動情報端末に組み込まれたコンピュータに読み込んで実行することにより、情報発信装置における各データ処理を行なわせることができる。
なお、上記プログラムの受け渡しは、デジタル情報としてプログラムを記録したＦＤ，ＣＤ−ＲＯＭ等の記録媒体を用いて行なってもいいし、コンピュータネットワーク等の通信回線を用いて行なってもよい。
【００１５】
請求項７の発明は、移動情報端末の使用者である顧客を移動情報端末を用いて集めるための集客方法であって、店舗、企業の事業所、公共施設等の複数の情報発信箇所に情報発信装置を設置し、該情報発信箇所に関連した情報、該情報発信箇所で取り扱う商品に関連した情報、広告に関連した情報、及び地域関連情報の少なくとも一つからなる該顧客の便宜に結びつく提供対象情報を、外部のコンピュータから汎用インターフェースによりアップロードして該情報発信装置に記憶させておき、該情報発信装置から該情報発信箇所の周辺に限定された情報提供地域に向けて、該提供対象情報及びその提供対象情報の識別情報を含む送信信号を、近距離無線通信により片方向的に繰り返し無線送信し、該情報提供地域に入った移動情報端末に、該情報発信装置から基地局を介さずに近距離無線通信により直接受信した提供対象情報の識別情報と該移動情報端末に予め記憶させておいた選択出力情報とに基づいて該提供対象情報を出力するか否かを判定させ特定の提供対象情報を出力させ、該提供対象情報を取得した顧客に対して便宜を提供することを特徴とするものである。
この集客方法では、顧客の移動情報端末に、顧客の便宜に結びつく提供対象情報を出力させ、この情報を取得した顧客に便宜を提供することにより、集客力を高める。
【００１６】
【発明の実施の形態】
以下、本発明を、店舗、企業の事業所、公共施設等の情報発信箇所に設置した情報発信装置を用いて、移動情報端末としての携帯電話機の使用者に、特定の地域関連情報や広告情報等の情報を限定的に提供する限定的情報提供システムに適用した実施形態について説明する。
【００１７】
図２は、本発明の一実施形態に係る限定的情報提供システムの全体構成の説明図であり、図３は、同情報提供システムのブロック図である。
この限定的情報提供システムは、店舗、事業所、公共施設などの情報発信箇所のそれぞれに設置された複数の情報発信装置１０で構成されている。各情報発信装置１０から電波を伝送媒体として無線送信された送信信号Ｗは、移動情報端末としての携帯電話機２０で受信される。
【００１８】
上記情報発信装置１０は、コンビニエンスストア、駅のキヨスク、レストラン、ファーストフード店、本屋、ＣＤショップ、飲食店、理髪店、美容院、その他の商店等の店舗や、駅、バス停、空港、待ち合わせ場所等の公共施設に設置される。企業の事業所や、ホテル、旅館等の宿泊施設等に設置してもよい。情報発信装置１０は、これらの情報発信箇所を中心とした半径が数ｍ〜１００ｍ程度の比較的狭い情報提供地域Ａに対して提供対象情報（以下「コンテンツ」という。）を含む送信信号Ｗを片方向的に常時繰り返し送信する。そして、この情報提供地域Ａに携帯電話機２０が移動して入ってきたときに、情報発信装置１０から送信された送信信号Ｗを携帯電話機２０で受信することにより、携帯電話機２０の使用者が様々な情報を取得できるようにしたものである。
また、上記情報発信装置１０は、単体の装置として設置してもいいが、ＰＯＳ（Point of Sales）システムの端末装置等の店舗設備や施設構造物に埋め込むように設置してもよい。
【００１９】
上記情報発信装置１０は、コンテンツを記憶するデータ記憶部１１と、データ記憶部に対するコンテンツの書込及び読出を行なうようにデータ処理するデータ処理部１２と、データ記憶部１１から読み出したコンテンツに基づいて変調された送信信号Ｗを情報提供地域Ａに向けて繰り返し無線送信する送信部１３とを備えている。この情報発信装置１０から無線送信する送信信号としては、近距離無線通信用として好適な、２．４ＧＨｚのＩＳＭ（Industrial Scientific Medical）帯域でスペクトラム拡散方式を用いて変調されたものが好ましい。このように２．４ＧＨｚのＩＳＭ帯域でスペクトラム拡散方式を採用することにより、他の産業機器や医療機器への悪影響が少なく、１Ｍｂｐｓ程度の伝送速度でノイズや干渉に強い情報伝送を行なうことができる。また、このスペクトラム拡散方式としては、送信信号の周波数を周期的に変化させることにより周波数を拡散するスペクトラム周波数ホッピング型のスペクトラム拡散方式を用いることができる。また、所定の擬似ランダムコードを用いて変調することにより周波数を拡散するスペクトラム拡散方式を用いてもよい。
また、情報提供地域Ａを、情報発信箇所からの伝送距離が１００ｍ以下の範囲に制限するには、上記送信部１３から送信される送信信号の送信電力を１００ｍＷ以下に設定する。伝送距離を１０ｍ以下にして更に狭い情報提供地域Ａにしたいときは、上記送信部１３から送信される送信信号Ｗの送信電力を２０〜３０ｍＷ程度に設定する。
また、送信信号の無線伝送媒体としては、上記２．４ＧＨｚのＩＳＭ帯域で送信電力が１００ｍＷ以下というように、電波法における免許が不要な電波を使用するのが好ましい。このような電波を使用することにより、情報発信装置の設置の自由度が増すとともに、情報発信装置の小型化及び低コスト化が可能になる。
【００２０】
上記データ記憶部１１には、電子データを記憶しておくことができれば、特に限定されることなく様々な記憶媒体を使用することができるが、消費電力を低く抑えるとともに小型化を図るという観点から不揮発性メモリ（例えばフラッシュメモリ）等の記憶素子が好ましい。
また、上記情報発信装置１０には、外部のコンピュータなどと接続するためのＵＳＢ（Univaersal Serial Bus）等の汎用インターフェース部を設けてもよい。このような汎用インターフェース部を設けた場合は、情報発信装置１０の所有者自身がコンピュータ等を用いて作成した広告情報等のデータを、情報発信装置１０のデータ記憶部１１に送って記憶させることにより、発信するコンテンツを簡単に変更することができる。
【００２１】
上記データ処理部１２は、ＣＰＵ、ＲＯＭ、ＲＡＭ、その他のチップセット等によって構成されたマイクロコンピュータを用いて構成することができる。
【００２２】
上記携帯電話機２０は、通常の携帯電話機として機能を実現するための電話用送受信部２１のほか、上記情報発信装置１０からの送信信号を受信して復調する受信部２２と、受信部２２で受信した信号に基づいてコンテンツを出力する出力部２３とを備えている。出力部２３としては、表示手段としての液晶パネル等のディスプレイ２３１や音を発するためのスピーカ２３２などを用いて構成することができる。
【００２３】
また、携帯電話機２０は、上記情報発信装置１０から送信されてくる提供対象情報のうち特定の情報のみを出力部２３から出力させるための選択出力情報のデータを記憶しておくデータ記憶部２５と、データ記憶部に記憶されている選択出力情報に基づいて上記受信部２２で受信した信号に含まれる提供対象情報の中から特定の提供対象情報を選択するデータ処理部２６とを備えている。
なお、上記データ記憶部２５に記憶しておく選択出力情報は、携帯電話機の使用者が、携帯電話機の図示しない操作部から適宜変更できるようにしてもよい。また、パスワードなどを設定し、携帯電話機の使用者ではなく管理者（例えば、使用者の保護者）のみが選択出力情報のデータを変更できるようにし、使用者が特定の情報だけを出力できるようにしてもよい。
【００２４】
なお、携帯電話機２０は、図４に示すように、情報発信装置１０からの送信信号を受信可能な情報提供地域Ａに入り、予め受信希望を設定しているコンテンツを受信したことを携帯電話機２０の使用者に知らせるための受信報知部２４を設けてもよい。この受信報知部２４は、例えば加振部材を用いて携帯電話機２０を振動させ、この振動によって使用者に報知するように構成することができる。また、この報知のための振動は、上記情報発信装置１０からコンテンツとともに送られる制御情報（強制バイブレータ・モード・フラグ）に基づいて、選択的に行なうようにしてもよい。
上記振動のほか、ディスプレイ２３１上に特定のアイコン等を表示したり、音を発したりすることにより、情報提供地域Ａに入り、予め受信希望を設定しているコンテンツを受信したことを携帯電話機２０の使用者に知らせるようにしてもよい。
【００２５】
上記構成の情報提供システムで提供するコンテンツとしては、例えば、飲食店、理髪店、美容院等の客待ち状況や割引の情報、ホテル、旅館等の宿泊施設の空き部屋状況の情報、繁華街の風俗関連店舗に関する風俗情報を挙げることができる。その他、各種店舗等の広告情報や、列車、バス、飛行機等の輸送機関の時刻情報などの地域関連情報も挙げることもできる。また、各種公共情報、案内情報、ニュースなどのコンテンツを提供するようにしてもよい。更に、上記コンテンツとして上記設置箇所に関係のない一般企業等の広告情報を携帯電話機のディスプレイ上に表示させたり、音声情報を流したりすることにより、広告情報を携帯電話機の使用者に提供すれば、本システムを電子広告看板のように使うこともできる。この場合は、情報発信装置を所有したり設置したりした者が、広告主から広告収入を得ることができる。
また、上記コンテンツの形態としては、文字情報、記号情報、数値情報、画像情報（静止画、動画）、音声等の音情報等があり、特定の形態に限定されるものではない。特に、前述のように２．４ＧＨｚのＩＳＭ帯域でスペクトラム拡散方式を用いて変調された送信信号のように大容量の情報伝達媒体を用いた場合は、マルチメディア・コンテンツや、ストリーミング系動画（ＭＰＥＧ４等）のコンテンツも提供できる。
【００２６】
図１は、上記構成の情報提供システムにおける情報提供の手順を示すフローチャートである。
図１において、まず、店舗、企業の事業所、公共施設等の情報発信箇所のそれぞれに設置された情報発信装置１０から、各情報発信箇所の周辺に限定された情報提供地域Ａに向けて、コンテンツのデータで変調された送信信号Ｗを片方向的に繰り返し無線送信される（ステップ１）。各情報提供地域Ａに入った携帯電話機２０では、上記情報発信装置１０から送信された送信信号を受信して復調する（ステップ２）。そして、携帯電話機２０のデータ記憶部２５に予め記憶されている選択出力情報に基づき、受信部２２で受信したコンテンツが選択出力情報に合致するか否かをデータ処理部２６で判定し（ステップ３、４）、選択出力情報に合致するコンテンツのみを、携帯電話機２０の出力部２３から出力する（ステップ５）。
【００２７】
以上、本実施形態によれば、各店舗等に設けた情報発信装置１０から一方的に発信された情報のうち、携帯電話機２０の使用者の希望に合致した特定の情報のみを選択的に出力させることができる。
例えば、飲食店、理髪店等の店舗に設置された情報発信装置１０からの送信信号を受け、現在の客待ちが何人であるか等の客待ち状況に関する情報を取得することができる。また、携帯電話機２０で情報を受けた旨をその店舗に伝えれば料金を２０％引きにするとかの割引の情報を取得することができる。特に、上記客待ち状況に関する情報等の顧客の便宜に結びつくコンテンツを提供した場合は、集客力を高めることができる。
また、携帯電話機２０を持った人がホテル街、旅館街、駅、空港に行ったときに、その地域のホテル、旅館等の宿泊施設の空き部屋情報や、宿泊施設関連の特典情報のみを受けるようにしてもよい。この特典情報としては、携帯電話機２０で情報を受けた旨をその宿泊施設に伝えれば料金を１０％引きにする等の割引の情報が挙げられる。
更に、風俗関連の店舗がある繁華街に行ったときに、その風俗関連店舗に関連した風俗情報のみを受けないようにすることもでき、逆に、風俗情報のみを受けるようにすることもできる。
【００２８】
なお、上記実施形態では、図１に示すように、携帯電話機２０のデータ記憶部２５に記憶している選択出力情報に基づいて、情報発信装置１０から受けたコンテンツを出力するかどうかを判定しているが、図５に示すように、情報発信装置１０からコンテンツとともにコンテンツの種類を特定するための識別情報を送信し、この識別情報とデータ記憶部２５に記憶している選択出力情報とに基づいて、識別情報が選択出力情報に合致するものであるか否かを判定し、コンテンツを選択的に出力するようにしてもよい。例えば、上記識別情報としては、コンテンツの内容を表す文字情報（「飲食店」、「理髪店」、「宿泊」、「風俗」）や、それらを表す数字情報や記号情報などが挙げられる。この場合、上記選択出力情報も上記識別情報と同様に、文字情報、数字情報、記号情報の形式でデータ記憶部２５に記憶される。
例えば、店舗の種類等で番号付けし、携帯電話機の使用者が図示しない操作部を操作することにより、出力を希望する（又は出力を希望しない）コンテンツを発信する店舗の種類等に対応した数字情報を、上記選択出力情報としてデータ記憶部２５に記憶させておく。例えば、飲食店、ファッション、コンビニの店舗に対してそれぞれ「００」、「０１」、「０２」のように数字情報を対応付けしておき、携帯電話機の使用者が希望する店舗情報がファッション関係の店舗の情報の場合には、上記選択出力情報として「０１」をデータ記憶部２５に記憶させておく。この選択出力情報の内容は、出力部２３上に表示させておいてもよい。そして、店舗の情報発信装置１０からコンテンツとともに、上記識別情報としてその店舗の種類に対応した数字情報が含まれる送信信号が送信される。この送信信号を受信した携帯電話機は、データ記憶部２５に予め記憶しておいた上記選択出力情報としての数字情報と、受信した上記識別情報としての数字情報とを対比させ、両方の数字情報が合致したときだけ、受信したコンテンツを出力部２３から出力する。上記具体例で選択出力情報としてファッション関係の店舗に対応した「０１」が携帯電話機に記憶されている場合は、コンテンツと一緒に送信されてくる識別情報が「０１」のときだけ、すなわちファンション関係の店舗から発信されたコンテンツだけが出力される。他の店舗からの送信信号を受けたとしても、選択出力情報及び識別情報の数字が一致しないためコンテンツは出力されない。
このように識別情報を用いる場合は、コンテンツそのものを参照してその内容を判断する場合に比して、コンテンツの出力可否の判定をより正確に且つ迅速に行なうことができる。
【００２９】
【発明の効果】
請求項１乃至７の発明によれば、情報提供地域に入った移動情報端末の使用者に対して、各店舗等に設けた情報発信装置から近距離無線通信より一方的に発信された情報を、移動情報端末の使用者等の希望に応じて選択的に提供することができる。しかも、移動情報端末上に出力させたい情報を、移動情報端末に予め登録しておくことができるという優れた効果がある。
特に、請求項３及び５の発明によれば、個別の店舗の客待ち情報、割引情報等の店舗情報のみに限定した情報提供を行なうことができるという優れた効果がある。
特に、請求項７の発明によれば、移動情報端末の使用者等の便宜に結びつく提供対象情報のみに限定した情報提供を行ない、集客力を高めることができるという優れた効果がある。
【図面の簡単な説明】
【図１】本発明の一実施形態に係る限定的情報提供システムにおける情報提供手順を示すフローチャート。
【図２】同限定的情報提供システムの全体構成の説明図。
【図３】同限定的情報提供システムで用いる情報発信装置及び携帯電話機の概略構成を示すブロック図。
【図４】変形例に係る携帯電話機の概略構成を示すブロック図。
【図５】変形例に係る限定的情報提供システムにおける情報提供手順を示すフローチャート。
【符号の説明】
１０    情報発信装置
１１    データ記憶部
１２    送信部
１３    データ処理部
２０    携帯電話機
２１    電話用送受信部
２２    受信部
２３    出力部
２４    受信報知部
２５    データ記憶部
２６    データ処理部
【図１】
0003935680.tif 000002
【図２】
0003935680.tif 000003
【図３】
0003935680.tif 000004
【図４】
0003935680.tif 000005
【図５】
0003935680.tif 000006